(57)【要約】      （修正有）【課題】培養細胞の形状及び位置並びにそれらの経時変化を、簡便かつ明瞭に観察する方法を提供する。【解決手段】蛍光プローブは、蛍光色素団を有し、また細胞は染めずに、該細胞の培養容器のガラス表面は染めることができる化合物である。本発明の蛍光プローブは、培養細胞の周囲のガラス面を染色することにより、培養細胞の形状及び位置を簡便かつ明瞭にガラス面上に記録することができる。【選択図】図１
2020125939.tif 000002
【特許請求の範囲】
【請求項１】
下記一般式（１）で表される化合物からなる、蛍光プローブ。
【化１】
2020125939.tif 000039
（一般式（１）中、Ａは蛍光色素団を表し、ＢはＡに結合する、一般式（２）、（３）又は（４）で表される基を表す。）
【化２】
2020125939.tif 000040
（一般式（２）、（３）及び（４）中、Ｒは一般式（５）もしくは（６）で表される基又は炭素数１２〜２２の分岐を有していてもよい飽和又は不飽和の炭化水素鎖を表し、ｎは０〜９の整数を表す。一般式（２）〜（６）中のアルキル鎖の任意の炭素原子に結合する水素原子が一般式（７）で表される基に置換されていてもよい。）
【化３】
2020125939.tif 000041
（一般式（５）中、Ｒ’は一般式（５）自体で表される基又は炭素数１２〜２２の分岐を有していてもよい飽和又は不飽和の炭化水素鎖を表し、ｍは０〜９の整数を表し、ｌは１〜９の整数を表す。）
【化４】
2020125939.tif 000042
（一般式（６）中、Ｒ”は一般式（６）自体で表される基又は炭素数１２〜２２の分岐を有していてもよい飽和又は不飽和の炭化水素鎖を表し、ｍは０〜９の整数を表し、ｌは１〜９の整数を表す。）
【化５】
2020125939.tif 000043
（一般式（７）中、ｐは０〜２の整数を表す。）
【請求項２】
請求項１に記載の蛍光プローブを含有する、細胞観察用試薬。
【請求項３】
ガラス面上で細胞を培養する工程、
ガラス面を染色するが培養細胞は染色しない蛍光プローブで前記ガラス面を染色する工程、及び
前記染色工程後に、蛍光顕微鏡で前記細胞を観察する工程を含む、細胞の観察方法。
【請求項４】
前記蛍光プローブが、請求項１に記載の蛍光プローブである、請求項３に記載の方法。
【請求項５】
ガラス面上で細胞を培養する工程、
Ｔ０時にガラス面を染色するが培養細胞は染色しない蛍光プローブで前記ガラス面を染色する工程、
Ｔ０時から任意の時間が経過した後に蛍光顕微鏡及び微分干渉顕微鏡で前記細胞を観察する工程、及び
得られた蛍光像及び微分干渉像を比較する工程を含む、細胞の観察方法。
【請求項６】
前記蛍光プローブが、請求項１に記載の蛍光プローブである、請求項５に記載の方法。
【請求項７】
Ｔ０時から任意の時間が経過したＴ１時に蛍光顕微鏡及び微分干渉顕微鏡を取得し、
前記比較工程において、観察対象の細胞の蛍光像と微分干渉像とで重ならない領域の面積を算出することを含む、請求項５又は６に記載の方法。
【請求項８】
Ｔ０時から任意の時間が経過した後の１又は複数のＴｎ時に蛍光顕微鏡及び微分干渉顕微鏡を取得し、
前記比較工程において、観察対象の細胞の蛍光像を基準として重ね合わせた１又は複数のＴｎ時の微分干渉像を比較することにより、観察細胞の移動量を算出することを含む、請求項５又は６に記載の方法。
【請求項９】
ガラス面上で細胞を培養する工程、
Ｔ０時にガラス面を染色するが培養細胞は染色しない第一の蛍光プローブで前記ガラス面を染色する工程、
Ｔ０時から任意の時間が経過した後のＴ１時に、ガラス面を染色するが培養細胞は染色しない第二の蛍光プローブで前記ガラス面を染色する工程、及び
第一の蛍光プローブ及び第二の蛍光プローブで染色された領域、並びに／又は第一の蛍光プローブ又は第二の蛍光プローブのみで染色された領域の蛍光強度を測定する工程を含み、
第一の蛍光プローブと第二の蛍光プローブとで蛍光波長が異なる、細胞の観察方法。
【請求項１０】
前記蛍光プローブが、請求項１に記載の蛍光プローブである、請求項９に記載の方法。
【発明の詳細な説明】
【技術分野】
【０００１】
本発明は、蛍光プローブ及びそれを用いて培養細胞を観察する方法に関する。
【背景技術】
【０００２】
多くの細胞の生理的性質は、細胞の形状や運動と深く関わっているため、生物学、薬学、医学等の分野においては培養細胞の形状及びその経時変化や移動度を観察し評価することの重要性が高い。
【０００３】
従来の培養細胞の形状を観察する方法としては、位相差顕微鏡観察法、微分干渉顕微鏡観察法、細胞膜染色観察法などがある。光学顕微鏡観察において動物培養細胞は、一般に水に近い光透性であり無色透明に近いため人工的にコントラストをつけなければその形状を詳細に観察することは難しい。
位相差顕微鏡観察法は、細胞内を通過する光から生じる回折光の位相のずれを利用してコントラストを付けることにより細胞を可視化する観察方法である。操作が簡便でコントラストが強いがため、培養細胞の観察によく普及した汎用法である。しかし、本法では細胞の周囲にハロを伴うため細胞の境界や細かな突起など微細な構造を明瞭に観察することは難しい。
【０００４】
微分干渉顕微鏡観察法は、細胞内及びその周辺の屈折率（光路差の違い）の違いを利用し、細胞を通過する光の光路差の違いで生じる干渉を利用してコントラストを付けることにより細胞を可視化する観察方法である。本法で観察した細胞は、一定の方向に陰影が付いて観察されるため、あたかも立体感のあるような像が得られる。しかし、細胞が近接しその突起が複雑に重なる場所では、細胞に覆われた場所かどうかを判断できない。
【０００５】
細胞膜染色観察法は、細胞膜を染色する色素を細胞に添加することで細胞を可視化し、これを顕微鏡等で観察する方法である。しかし、生きた培養細胞の細胞膜は、エンドサイトーシスや膜脂質代謝により恒常的に膜成分の交換が生じているため、細胞膜を染色した色素は細胞内に取り込まれるか細胞外へ排出され、色素は早い時間内に細胞膜から薄まってしまう。また、細胞膜の代謝は部位によって異なるため、必ずしも細胞膜を均質に一様に染色するとは限らない。従って、安定的に細胞の形状を詳細に観察することはできない。また、固定した細胞を本法で観察する方法があるが、固定した細胞では細胞膜の代謝が生じない代わりに固定によって細胞の形状が変形してしまうため、特に細部について細胞本来の形状を観察していると考えるのは難しい。
【０００６】
従来の培養細胞の運動や移動を観察する方法としては、Ｗｏｕｎｄ Ｈｅａｌｉｎｇ Ａｓｓａｙ（ＷＨＡ）、Ｃｅｌｌ Ｉｎｖａｓｉｏｎ Ａｓｓａｙ （ＣＩＶ）、金コロイド
コート法、連続観察法などがある。
ＷＨＡは、培養皿上でコンフルエントに生育した培養細胞のシートをチップ等で直線状に傷つけて細胞を排した後に、又は培養皿上に障害物を設置して細胞集落の空白帯を作製した後に、培養を続けて、傷や空白帯の領域が細胞で埋まることを確認することによって、細胞運動性を評価する方法である（非特許文献１、２）。ＷＨＡでは、傷や空白帯の領域が細胞で埋まった正確な時間が不明であるため、単位時間当たりに細胞が移動した距離や面積を数値化できないため、運動性の有無の評価はできても定量性がほとんどない。また、測定に数時間から一晩といった長時間を要する。さらに、傷つけ操作により細胞にダメージが加わり細胞の移動度に影響し得る。また、障害物の設置により空白帯を作製する手法では、増殖中の細胞は障害物近辺では圧縮されるため、障害物を除いた際に細胞自身の能動的な移動ではなく、解放による押し出しによる位置の変動が生じてしまい、細胞移
動を正しく観察できないという懸念がある。
【０００７】
ＣＩＡは、細胞が自らの運動性で通過できる径の孔を複数有するメンブレンの上で細胞を生育させ、このメンブレンを通過する細胞を回収し細胞数を測定する方法である（非特許文献３）。この方法で評価されるのは細胞の浸潤性であって、細胞の移動性とは異なる現象である。そのため、細胞移動の距離や面積を定量的に測定できない。
【０００８】
金コロイドコート法は、金微粒子で一様にコートされた培養皿上で細胞性粘菌を生育させて、該細胞性粘菌が移動する際に金微粒子を吸着するために形成される運動の軌跡を解析する方法である（非特許文献４、５）。細胞が移動した軌跡において金コロイドが細胞に吸着されなくなるために、金コロイドがない筋が細胞の移動した軌跡として可視化され、細胞の移動距離を測定することできる。しかし、金コロイドの軌跡は連続しており、移動前の細胞の形状は記録されないため、細胞の形状の変化を定量的に測定することはできない。また、この方法は主に、運動性の高く、金コロイドを吸収する細胞性粘菌を対象に用いられる方法であり、哺乳動物由来などの培養細胞への適用はあまりない。また、この方法は、多数の細胞を同時に短時間に扱うのには適さない。
【０００９】
連続観察法は、細胞を生育させるインキュベータ内に位相差顕微鏡や微分干渉顕微鏡を設置し、顕微鏡上で常時細胞を生育させつつ細胞を主に機械のプログラムによって自動式で撮影し観察する方法である（非特許文献６）。この場合、汎用でない特殊な設備を必要とするため、費用が高額となるうえ、細胞培養条件下では顕微鏡が激しく劣化するという難点がある。また、自動式であるために、振動や温度変化または細胞の移動によって目的の細胞が顕微鏡視野からはずれてしまった場合や、低倍率と高倍率の切り替えが必要となった場合などに細胞を観察し続けるための適切な対応をその時点に行うことが困難である面もある。
【先行技術文献】
【非特許文献】
【００１０】
【非特許文献１】S.L. Goodman, H.P. Vollmers, W. Birchmeler, Control of Cell Locomotion: Perturbation with an Antibody Directed against Specific Glycoproteins, Cell 41(1985) 1029-1038.
【非特許文献２】C.D. Nobes, A. Hall, Rho GTPase Control Polarity, Protrusion, and Adhesion during Cell Movement, J. Cell Biol. 144(1999) 1235-1244.
【非特許文献３】V.P. Terranova, E.S. Hujanen, D.M. Loeb, G.R. Martin, L. Thornburg, V. Glushko, Use of a reconstituted basement membrane to measure cell invasiveness and select for highly invasive tumor cells, Proc. Natl. Acad. Sci. USA 83(1986) 465-469.
【非特許文献４】G. Albrecht-Buehler, The Phagokinetic Tracks of 3T3 Cells, Cell 11(1977) 395-404.
【非特許文献５】W.N. Scott, K. McCool, J. Nelson, Improved Method for the Production of Gold Colloid Monolayers for Use in the Phagokinetic Track Assay for Cell Motility, Anal. Biochem. 287(2000) 343-344.
【非特許文献６】R. Kato, et al., Parametric analysis of colony morphology of non-labelled live human pluripotent stem cells for cell quality control, Sci. Rep., 26(6) (2016) 34009.
【発明の概要】
【発明が解決しようとする課題】
【００１１】
本発明は、培養細胞の形状及び位置並びにそれらの経時変化を、簡便かつ明瞭に観察する方法を提供することを課題とする。
【課題を解決するための手段】
【００１２】
本発明者らは、前記課題を解決すべく鋭意研究を重ねた結果、特定の蛍光色素誘導体を蛍光プローブとして用いて培養細胞の周囲のガラス面を染色することにより、培養細胞の形状及び位置を簡便かつ明瞭にガラス面上に記録することができることに想到した。そして、該染色の後に変形や移動した細胞の形状及び位置の観察像と、染色時の形状及び位置の観察像とを比較することにより細胞の運動を、定量的に測定できることに想到し、本発明を完成させるに至った。
【００１３】
すなわち、本発明の一の側面は、下記一般式（１）で表される化合物からなる、蛍光プローブである。
【００１４】
【化１】
2020125939.tif 000003
（一般式（１）中、Ａは蛍光色素団を表し、ＢはＡに結合する、一般式（２）、（３）又は（４）で表される基を表す。）
【００１５】
【化２】
2020125939.tif 000004
（一般式（２）、（３）及び（４）中、Ｒは一般式（５）もしくは（６）で表される基又は炭素数１２〜２２の分岐を有していてもよい飽和又は不飽和の炭化水素鎖を表し、ｎは０〜９の整数を表す。一般式（２）〜（６）中のアルキル鎖の任意の炭素原子に結合する水素原子が一般式（７）で表される基に置換されていてもよい。）
【００１６】
【化３】
2020125939.tif 000005
（一般式（５）中、Ｒ’は一般式（５）自体で表される基又は炭素数１２〜２２の分岐を有していてもよい飽和又は不飽和の炭化水素鎖を表し、ｍは０〜９の整数を表し、ｌは１〜９の整数を表す。）
【００１７】
【化４】
2020125939.tif 000006
（一般式（６）中、Ｒ”は一般式（６）自体で表される基又は炭素数１２〜２２の分岐を有していてもよい飽和又は不飽和の炭化水素鎖を表し、ｍは０〜９の整数を表し、ｌは１〜９の整数を表す。）
【００１８】
【化５】
2020125939.tif 000007
（一般式（７）中、ｐは０〜２の整数を表す。）
【００１９】
本発明の蛍光プローブは、細胞観察用試薬に含有させることができる。
【００２０】
本発明の別の側面は、細胞の観察方法である。
具体的な態様としては、ガラス面上で細胞を培養する工程、ガラス面を染色するが培養細胞は染色しない蛍光プローブで前記ガラス面を染色する工程、及び前記染色工程後に、蛍光顕微鏡で前記細胞を観察する工程を含む、細胞の観察方法である。
本態様における蛍光プローブとしては、本発明の蛍光プローブを好ましく用いることができる。
【００２１】
また、別の態様としては、ガラス面上で細胞を培養する工程、Ｔ０時にガラス面を染色するが培養細胞は染色しない蛍光プローブで前記ガラス面を染色する工程、Ｔ０時から任
意の時間が経過した後に蛍光顕微鏡及び微分干渉顕微鏡で前記細胞を観察する工程、及び得られた蛍光像及び微分干渉像を比較する工程を含む、細胞の観察方法である。
本態様における蛍光プローブとしては、本発明の蛍光プローブを好ましく用いることができる。
この態様において好ましくは、Ｔ０時から任意の時間が経過したＴ１時に蛍光顕微鏡及び微分干渉顕微鏡を取得し、前記比較工程において、観察対象の細胞の蛍光像と微分干渉像とで重ならない領域の面積を算出することを含む。
または、この態様において好ましくは、Ｔ０時から任意の時間が経過した後の１又は複数のＴｎ時に蛍光顕微鏡及び微分干渉顕微鏡を取得し、前記比較工程において、観察対象の細胞の蛍光像を基準として重ね合わせた１又は複数のＴｎ時の微分干渉像を比較することにより、観察細胞の移動量を算出することを含む。
【００２２】
また、別の態様としては、ガラス面上で細胞を培養する工程、Ｔ０時にガラス面を染色するが培養細胞は染色しない第一の蛍光プローブで前記ガラス面を染色する工程、Ｔ０時から任意の時間が経過した後のＴ１時に、ガラス面を染色するが培養細胞は染色しない第二の蛍光プローブで前記ガラス面を染色する工程、及び第一の蛍光プローブ及び第二の蛍光プローブで染色された領域、並びに／又は第一の蛍光プローブ又は第二の蛍光プローブのみで染色された領域の蛍光強度を測定する工程を含み、第一の蛍光プローブと第二の蛍光プローブとで蛍光波長が異なる、細胞の観察方法である。
本態様における蛍光プローブとしては、本発明の蛍光プローブを好ましく用いることができる。
【発明の効果】
【００２３】
本発明の蛍光プローブにより、ガラス面を染色するが培養細胞は染色しないことによって培養細胞の形状及び位置を簡便かつ明瞭にガラス面上に記録することが可能になる。このため位相差顕微鏡観察法による細胞周辺のハロや微分干渉顕微鏡観察法による陰影は生じないことにより、細胞の突起や波打ち構造など微細な形状を含めて観察が可能になる。また、細胞同士が複雑に重なりあう面においても細胞に覆われていない領域は明瞭に蛍光プローブに染色され、細胞に覆われている面は蛍光プローブに染色されないため、これらの領域の区別は明瞭に可能となる。
また、前記蛍光プローブを用いて培養細胞を観察する方法により、培養細胞の形状及び位置並びにそれらの経時変化を、簡便かつ明瞭に観察することが可能になる。さらに、前記経時変化を定量的に解析することも可能になる。一度、蛍光プローブで染色されたガラス面上の細胞の形状は、細胞が移動した後も２４時間以上安定に観察され、細胞膜の代謝に影響されることはほとんどない。
【図面の簡単な説明】
【００２４】
【図１】蛍光プローブを用いて、ガラス面上で培養細胞を観察する方法を示す図である。（Ａ）Ｔ０時からＴ１時に培養細胞の形状及び位置が変化する。（Ｂ）Ｔ０時に蛍光プローブでガラス面を染色した後、Ｔ１時に形状及び位置が変化した細胞の像と、蛍光シグナルで表されるＴ０時の細胞のネガティブ染色像とを観察し比較する。
【図２】培養細胞の形状及び位置の変化を定量化する方法を示す図である。（ａ）Ｔ０時に蛍光プローブでガラス面を染色することにより細胞の形状及び位置を記録する（ネガティブ染色）。（ｂ）Ｔ０時から任意の時間が経過した後のＴ１時に、微分干渉顕微鏡及び蛍光顕微鏡で細胞を観察する。（ｃ）Ｔ０時の細胞の蛍光像とＴ１時の細胞の微分干渉像とを重ね合わせる。（ｄ）２つの像の細胞領域が重ならない領域を塗り分ける（色１：Ｔ０→Ｔ１で前進した領域、色２：Ｔ０→Ｔ１で後退した領域）。
【図３】ローダミン１９を波長４８８ｎｍで励起したときに測定される蛍光スペクトルを示す概略図である。
【図４】ローダミンＢとローダミン１９との間でＦＲＥＴが生じたときに測定される蛍光スペクトルを示す概略図である。
【図５】蛍光プローブによるガラス面上の培養細胞の染色を示す図である。（Ａ）Ｒ１９（１７）２で染色したとき、ガラス面上の斜縞領域が染色される。（Ｂ）ＲＢ（１７）２で染色したとき、ガラス面上の縦縞領域が染色される。
【図６】２種の蛍光プローブによるガラス面上の培養細胞の染色を示す図である。
【図７】実施例１の培養ＣＯＳ１細胞の顕微鏡写真（スケールバー：５０μｍ）。（Ａ）微分干渉像、（Ｂ）蛍光プローブＲＢ（１８）２を用いてネガティブ染色した蛍光像（白い領域が蛍光シグナルを表す）
【図８】実施例２の培養ＣＯＳ１細胞を蛍光染色後にトリプシン処理したときの顕微鏡写真（スケールバー：５０μｍ）。（Ａ）微分干渉像（細胞が見えない）、（Ｂ）蛍光プローブＲＢ（１８）２を用いてネガティブ染色した蛍光像（白い領域が蛍光シグナルを表す）
【図９】比較例１の培養ＣＯＳ１細胞の顕微鏡写真（スケールバー：５０μｍ）。（Ａ）微分干渉像、（Ｂ）蛍光プローブＲＢ１８ (Octadecyl Rhodamine)を用いて染色した蛍光像（蛍光シグナルを表す白い領域が細胞内にも存在する）
【図１０】比較例２の培養ＣＯＳ１細胞の顕微鏡写真（スケールバー：５０μｍ）。（Ａ）微分干渉像、（Ｂ）蛍光プローブＮＢＤ−ＤＰＰＥを用いて染色した蛍光像
【図１１】比較例３の培養ＣＯＳ１細胞の顕微鏡写真（スケールバー：５０μｍ）。（Ａ）微分干渉像、（Ｂ）蛍光プローブＲＢ（１２）２を用いて染色した蛍光像
【図１２】実施例３の培養ＨｅＬａ細胞の顕微鏡写真（スケールバー：５０μｍ）。（Ａ）微分干渉像、（Ｂ）蛍光プローブＲＢ（１２）２を用いて染色した蛍光像
【図１３】実施例３の培養ＨｅＬａ細胞の顕微鏡写真（スケールバー：５０μｍ）。（Ａ）微分干渉像、（Ｂ）蛍光プローブＲＢ（１４）２を用いて染色した蛍光像
【図１４】実施例３の培養ＨｅＬａ細胞の顕微鏡写真（スケールバー：５０μｍ）。（Ａ）微分干渉像、（Ｂ）蛍光プローブＲＢ（１６）２を用いて染色した蛍光像
【図１５】実施例３の培養ＨｅＬａ細胞の顕微鏡写真（スケールバー：５０μｍ）。（Ａ）微分干渉像、（Ｂ）蛍光プローブＲＢ（１７）２を用いて染色した蛍光像
【図１６】実施例３の培養ＨｅＬａ細胞の顕微鏡写真（スケールバー：５０μｍ）。（Ａ）微分干渉像、（Ｂ）蛍光プローブＲＢ（１８）２を用いて染色した蛍光像
【図１７】実施例３の培養ＨｅＬａ細胞の顕微鏡写真（スケールバー：５０μｍ）。（Ａ）微分干渉像、（Ｂ）蛍光プローブＲＢ（１９）２を用いて染色した蛍光像
【図１８】実施例３の培養ＨｅＬａ細胞の顕微鏡写真（スケールバー：５０μｍ）。（Ａ）微分干渉像、（Ｂ）蛍光プローブＲＢ（２０）２を用いて染色した蛍光像
【図１９】実施例３の培養ＨｅＬａ細胞の顕微鏡写真（スケールバー：５０μｍ）。（Ａ）微分干渉像、（Ｂ）蛍光プローブＲＢ（２２）２を用いて染色した蛍光像
【図２０】実施例３の培養ＨｅＬａ細胞の顕微鏡写真（スケールバー：５０μｍ）。（Ａ）微分干渉像、（Ｂ）蛍光プローブＲＢ（２３）２を用いて染色した蛍光像
【図２１】実施例４の培養ＨｅＬａ細胞の顕微鏡写真（スケールバー：５０μｍ）。（Ａ）微分干渉像、（Ｂ）蛍光プローブＲＢ（１７）２を用いて染色した蛍光像
【図２２】実施例４の培養ＨｅＬａ細胞の蛍光顕微鏡写真。（Ａ）染色後３及び６時間後の蛍光像を観察視野のフレームで合わせて重ね合わせたもの、（Ｂ）染色後０、１及び６時間後の蛍光像を同一細胞像で重ね合わせたときの観察視野のフレームを示す図
【図２３】実施例４の培養ＨｅＬａ細胞の、染色後０、３及び６時間後の顕微鏡写真。微分干渉像のうち同一観察視野を並べた。矢印は同一細胞を、丸印は該細胞の核を、それぞれ示す。
【図２４】実施例５の試験Ａの培養Ｈｅｌａ細胞の顕微鏡写真（スケールバー：５０μｍ）。異なるチャンネルで観察した同視野を示す。
【図２５】実施例５の試験Ａの培養Ｈｅｌａ細胞の顕微鏡写真。異なる波長でＣｈ．Ｌａｍｂｄａで観察した同視野を示す。
【図２６】実施例５の試験Ｂの培養Ｈｅｌａ細胞の顕微鏡写真（スケールバー：５０μｍ）。異なるチャンネルで観察した同視野を示す。
【図２７】実施例５の試験Ｂの培養Ｈｅｌａ細胞の顕微鏡写真。異なる波長でＣｈ．Ｌａｍｂｄａで観察した同視野を示す。
【図２８】実施例５の試験Ｂの結果、染色された／染色されなかった領域を示す図である。（左）黒色は領域Ｃを、縦縞は領域Ｄを、横縞は領域Ｂを、灰色は領域Ａをそれぞれ示す。各領域で検出される蛍光は表の通り。（右）左図に基づいて把握される、Ｔ０時の細胞の位置（点線で囲まれた領域）とＴ１時の細胞の位置（灰色の領域）とを示す。
【図２９】実施例５の試験Ｃの培養Ｈｅｌａ細胞の顕微鏡写真（スケールバー：５０μｍ）。異なるチャンネルで観察した同視野を示す。
【図３０】実施例５の試験Ｃの培養Ｈｅｌａ細胞の顕微鏡写真。異なる波長でＣｈ．Ｌａｍｂｄａで観察した同視野を示す。
【図３１】実施例５の試験Ｄの培養Ｈｅｌａ細胞の顕微鏡写真（スケールバー：５０μｍ）。異なるチャンネルで観察した同視野を示す。
【図３２】実施例５の試験Ｄの培養Ｈｅｌａ細胞の顕微鏡写真。異なる波長でＣｈ．Ｌａｍｂｄａで観察した同視野を示す。
【図３３】実施例５の試験Ｄの結果、染色された／染色されなかった領域を示す図である。（左）黒色は領域Ｃを、縦縞は領域Ｂを、横縞は領域Ｄを、灰色は領域Ａをそれぞれ示す。各領域で検出される蛍光は表の通り。（右）左図に基づいて把握される、Ｔ０時の細胞の位置（点線で囲まれた領域）とＴ１時の細胞の位置（灰色の領域）とを示す。
【図３４】実施例５の試験Ｅの培養Ｈｅｌａ細胞の顕微鏡写真（スケールバー：５０μｍ）。異なるチャンネルで観察した同視野を示す。
【図３５】実施例５の試験Ｅの培養Ｈｅｌａ細胞の顕微鏡写真。異なる波長でＣｈ．Ｌａｍｂｄａで観察した同視野を示す。
【発明を実施するための形態】
【００２５】
本発明の蛍光プローブは、蛍光色素団を有し、また細胞は染めずに、該細胞の培養容器のガラス表面は染めることができる化合物である。本明細書において、「染色」又は「染める」とは蛍光プローブ化合物が対象に結合又は浸透することをいい、「細胞を染めない」とは細胞膜に結合しないこと又は細胞内に入り込まないことをいう。
本発明の蛍光プローブは、培養細胞の周囲のガラス面を染色することにより、培養細胞の形状及び位置を簡便かつ明瞭にガラス面上に記録することができる（図１）。
【００２６】
具体的には、本発明の蛍光プローブは、下記一般式（１）で表される化合物からなる。
【化６】
2020125939.tif 000008
【００２７】
一般式（１）中、Ａは蛍光色素団を表す。
蛍光色素団Ａは、蛍光発色する化合物団であれば特に限定されず、赤色、緑色、青色等の所望の蛍光波長に応じて採用すればよい。例えば以下に、蛍光色素団Ａの蛍光色ごとの具体例を以下に挙げるが、これらに限定されない。
赤：ローダミン１１０、テトラメチルローダミン、ローダミンＢ、ローダミン１１６、ローダミン１９、及びローダミン１０１
緑：ＮＢＤ−Ｆ、フルオレセイン、オレゴングリーン、ＢＯＤＩＰＹ ＦＬ Ｃ５
青：１−ピレン酪酸、ＤＭＥＱ−Ｃｌ
【００２８】
【化７】
2020125939.tif 000009
【００２９】
蛍光色素団Ａは、カルボキシ基又はフッ化炭素基を１つ有する蛍光色素化合物の該カルボキシ基の水酸基以外の残基又は該フッ化炭素基のフッ素原子以外の残基であることが好ましい。この場合、一般式（１）中のＢは、前記カルボキシ基の水酸基又は前記フッ化炭素のフッ素原子が結合していた炭素を介してＡに結合する。
また、蛍光色素団Ａは、陽に荷電していることが好ましく、例えばアンモニウムイオン
を有する化合物団であることが好ましい。これにより、蛍光プローブがガラス表面に結合しやすくなる。
【００３０】
また、一般式（１）中、ＢはＡに結合する、一般式（２）、（３）又は（４）で表される基を表す。
【化８】
2020125939.tif 000010
【００３１】
一般式（２）、（３）及び（４）中、Ｒは一般式（５）もしくは（６）で表される基又は炭化水素鎖を表し、ｎは０〜９の整数を表す。
前記炭化水素鎖の炭素数は１２〜２２であり、好ましくは１４〜１８、より好ましくは１５〜１７である。かかる炭化水素鎖が短すぎると、化合物が細胞内に入りやすくなり、長すぎると化合物の水溶性が低下して、蛍光プローブの操作性が悪くなる場合があるからである。
また、前記炭化水素鎖は、分岐を有していてもよいが、好ましくは直鎖状である。また、前記炭化水素鎖は、飽和又は不飽和のいずれでもよいが、好ましくは飽和炭化水素鎖である。
【００３２】
【化９】
2020125939.tif 000011
【００３３】
一般式（５）中、Ｒ’は一般式（５）自体で表される基又は炭化水素鎖を表し、ｍは０〜９の整数を表し、ｌは１〜９の整数を表す。
前記炭化水素鎖の炭素数は１２〜２２であり、好ましくは１４〜１８、より好ましくは１５〜１７である。また、前記炭化水素鎖は、分岐を有していてもよいが、好ましくは直鎖状である。また、前記炭化水素鎖は、飽和又は不飽和のいずれでもよいが、好ましくは飽和炭化水素鎖である。
Ｒ’が一般式（５）自体で表される基である場合、一般式（１）で表される化合物は複数の炭化水素鎖を樹状に分岐して有する構造になる。また、その場合の末端は、炭素数１２〜２２の分岐を有していてもよい飽和又は不飽和の炭化水素鎖となる。
【００３４】
【化１０】
2020125939.tif 000012
【００３５】
一般式（６）中、Ｒ”は一般式（６）自体で表される基又は炭化水素鎖を表し、ｍは０〜９の整数を表し、ｌは１〜９の整数を表す。
前記炭化水素鎖の炭素数は１２〜２２であり、好ましくは１４〜１８、より好ましくは１５〜１７である。また、前記炭化水素鎖は、分岐を有していてもよいが、好ましくは直鎖状である。また、前記炭化水素鎖は、飽和又は不飽和のいずれでもよいが、好ましくは飽和炭化水素鎖である。
Ｒ”が一般式（６）自体で表される基である場合、一般式（１）で表される化合物は複数の炭化水素鎖を樹状に分岐して有する構造になる。また、その場合の末端は、炭素数１２〜２２の分岐を有していてもよい飽和又は不飽和の炭化水素鎖となる。
【００３６】
また、一般式（２）〜（６）中のアルキル鎖の任意の炭素原子に結合する水素原子は、コリン基、すなわち一般式（７）で表される基に置換されていてもよい。なお、一般式（７）中、ｐは０〜２の整数を表す。
前述のように、ガラス染色性の観点から、蛍光色素団Ａは陽電荷を有していることが好ましいところ、カチオン基を有さない蛍光色素団をＡとする場合に、コリン基を導入することで本発明の化合物を陽に荷電させることができる。コリン基を導入するのが好ましいＡとしては、ＮＢＤ−Ｆ、フルオレセイン、オレゴングリーン、ＢＯＤＩＰＹ ＦＬ Ｃ５、１−ピレン酪酸、ＤＭＥＱ−Ｃｌ等が挙げられるが、これらに限定されない。
【００３７】
【化１１】
2020125939.tif 000013
【００３８】
本発明の蛍光プローブに係る化合物は、蛍光色素団に、１本又は２以上の奇数または偶数本の炭化水素鎖の「脚」が、アミド結合又はエステル結合を介して結合した構造を有するものである。
従来の細胞膜等の染色に用いられてきた蛍光プローブとしては、ＲＢ１８−オクタデシルローダミン等が知られており、これも本発明の化合物に類似する構造を有する（J. Cell Sci.(1977), 28, 167-177）。しかしながら、炭化水素鎖の長さが短い等、一般式（１
）で特定される構造以外の化合物では、後述の実施例で示されるように所望の染色が実現されない。
【００３９】
本発明の蛍光プローブ化合物の具体例を以下の一般式（８）〜（３３）に挙げるが、これらに限定されない。なお、一般式（８）〜（３３）中、Ｒは炭素数１２〜２２の分岐を有していてもよい飽和又は不飽和の炭化水素鎖を表す。
一般式（８）〜（１２）で表される化合物では、２つの炭化水素鎖がアミド結合を介して蛍光色素団に結合している。一般式（１３）〜（１７）で表される化合物では、２つの炭化水素鎖がエステル結合を介して蛍光色素団に結合している。一般式（１８）〜（２２）で表される化合物では、１つの炭化水素鎖がエステル結合を介して蛍光色素団に結合している。一般式（２３）で表される化合物は、３つ、すなわち奇数の炭化水素鎖がアミド結合を介して蛍光色素団に結合している。一般式（２４）で表される化合物は、４つ、すなわち偶数の炭化水素鎖がアミド結合を介して蛍光色素団に結合している。なお、一般式（２３）及び（２４）で表される化合物中の蛍光色素団は、ローダミンＢに代えて、ローダミン１１０、テトラメチルローダミン、ローダミン１１６、ローダミン１９、及びローダミン１０１であってもよい。一般式（２５）〜（３３）で表される化合物は、蛍光色素団に近い位置にコリン基が付加している。
【００４０】
【化１２】
2020125939.tif 000014
【００４１】
【化１３】
2020125939.tif 000015
【００４２】
【化１４】
2020125939.tif 000016
【００４３】
本発明の蛍光プローブに係る化合物は、一般的な合成方法により取得することができる。以下に具体的な合成スキーム例を挙げるが、これらに限定されない。
【００４４】
２つの炭化水素鎖をアミド結合を介して蛍光色素団に結合させる合成例を、スキーム１に示す。スキーム１において蛍光色素団は、ローダミンＢに代えて、ローダミン１１０、テトラメチルローダミン、ローダミン１１６、ローダミン１９、及びローダミン１０１であってもよい。この合成方法により、一般式（８）〜（１２）で表される化合物を合成することができる。
スキーム１においてＲは、炭素数１２〜２２の分岐を有していてもよい飽和又は不飽和の炭化水素鎖を表す。
【００４５】
【化１５】
2020125939.tif 000017
【００４６】
２つの炭化水素鎖をエステル結合を介して蛍光色素団に結合させる合成例を、スキーム２に示す。スキーム２において蛍光色素団は、ローダミンＢに代えて、ローダミン１１０、テトラメチルローダミン、ローダミン１１６、ローダミン１９、及びローダミン１０１であってもよい。この合成方法により、一般式（１３）〜（１７）で表される化合物を合成することができる。
スキーム２においてＲは、炭素数１２〜２２の分岐を有していてもよい飽和又は不飽和の炭化水素鎖を表す。
【００４７】
【化１６】
2020125939.tif 000018
【００４８】
１つの炭化水素鎖をエステル結合を介して蛍光色素団に結合させる合成例を、スキーム
３に示す。スキーム３において蛍光色素団は、ローダミンＢに代えて、ローダミン１１０、テトラメチルローダミン、ローダミン１１６、ローダミン１９、及びローダミン１０１であってもよい。この合成方法により、一般式（１８）〜（２２）で表される化合物を合成することができる。
スキーム３においてＲは、炭素数１２〜２２の分岐を有していてもよい飽和又は不飽和の炭化水素鎖を表す。
【００４９】
【化１７】
2020125939.tif 000019
【００５０】
３以上の奇数の炭化水素鎖をアミド結合を介して蛍光色素団に結合させる合成例を、スキーム４に示す。スキーム４において蛍光色素団は、ローダミンＢに代えて、ローダミン１１０、テトラメチルローダミン、ローダミン１１６、ローダミン１９、及びローダミン１０１であってもよい。この合成方法により、一般式（２３）等で表される化合物を合成することができる。また、スキーム４においてさらにリジンの導入反応を繰り返すことにより、炭化水素鎖の本数を増やすことができる。
スキーム４においてＲは、炭素数１２〜２２の分岐を有していてもよい飽和又は不飽和の炭化水素鎖を表す。
【００５１】
【化１８】
2020125939.tif 000020
【００５２】
４以上の偶数の炭化水素鎖をアミド結合を介して蛍光色素団に結合させる合成例を、スキーム５に示す。スキーム５において蛍光色素団は、ローダミンＢに代えて、ローダミン１１０、テトラメチルローダミン、ローダミン１１６、ローダミン１９、及びローダミン１０１であってもよい。この合成方法により、一般式（２４）等で表される化合物を合成することができる。また、スキーム５においてさらにリジンの導入反応を繰り返すことにより、炭化水素鎖の本数を増やすことができる。
スキーム５においてＲは、炭素数１２〜２２の分岐を有していてもよい飽和又は不飽和の炭化水素鎖を表す。
【００５３】
【化１９】
2020125939.tif 000021
【００５４】
２つの炭化水素鎖をアミド結合を介して蛍光色素団に結合させ、さらにコリン基を付加する合成例を、スキーム６に示す。この合成方法により、一般式（２５）で表される化合物を合成することができる。
スキーム６においてＲは、炭素数１２〜２２の分岐を有していてもよい飽和又は不飽和の炭化水素鎖を表す。
【００５５】
【化２０】
2020125939.tif 000022
【００５６】
２つの炭化水素鎖をアミド結合を介して蛍光色素団に結合させ、さらにコリン基を付加する合成例を、スキーム７に示す。スキーム７において蛍光色素団は、フルオレセインに代えて、オレゴングリーンであってもよい。スキームこの合成方法により、一般式（２６）、（２７）で表される化合物を合成することができる。
スキーム７においてＲは、炭素数１２〜２２の分岐を有していてもよい飽和又は不飽和の炭化水素鎖を表す。
【００５７】
【化２１】
2020125939.tif 000023
【００５８】
２つの炭化水素鎖をアミド結合を介して蛍光色素団に結合させ、さらにコリン基を付加する合成例を、スキーム８に示す。スキーム８において蛍光色素団は、ＢＯＤＩＰＹ Ｆ
Ｌ Ｃ５に代えて、１−ピレン酪酸、ＤＭＥＱ−Ｃｌであってもよい。スキームこの合成
方法により、一般式（２８）〜（３０）で表される化合物を合成することができる。
スキーム８においてＲは、炭素数１２〜２２の分岐を有していてもよい飽和又は不飽和の炭化水素鎖を表す。
【００５９】
【化２２】
2020125939.tif 000024
【００６０】
２つの炭化水素鎖をアミド結合を介して蛍光色素団に結合させ、さらにコリン基を付加する合成例を、スキーム９に示す。スキームこの合成方法により、一般式（３１）で表される化合物を合成することができる。
スキーム９においてＲは、炭素数１２〜２２の分岐を有していてもよい飽和又は不飽和
の炭化水素鎖を表す。
【００６１】
【化２３】
2020125939.tif 000025
【００６２】
２つの炭化水素鎖をアミド結合を介して蛍光色素団に結合させ、さらにコリン基を付加する合成例を、スキーム１０に示す。スキーム１０において蛍光色素団は、フルオレセインに代えて、オレゴングリーンであってもよい。スキームこの合成方法により、一般式（３２）、（３３）で表される化合物を合成することができる。
スキーム１０においてＲは、炭素数１２〜２２の分岐を有していてもよい飽和又は不飽和の炭化水素鎖を表す。
【００６３】
【化２４】
2020125939.tif 000026
【００６４】
２つの炭化水素鎖をアミド結合を介して蛍光色素団に結合させる合成例を、スキーム１１に示す。スキーム１１は、スキーム１において蛍光色素団を、ローダミンＢからローダミン１９に代えたものと同じである。この合成方法により、一般式（３４）で表される化合物を合成することができる。
スキーム１１においてＲは、炭素数１２〜２２の分岐を有していてもよい飽和又は不飽和の炭化水素鎖を表す。
【００６５】
【化２５】
2020125939.tif 000027
【００６６】
本発明の蛍光プローブは、培養細胞を観察するための試薬に好ましく含有させることができる。
かかる試薬は、本発明の蛍光プローブを、例えば０．００００５〜０．００１重量％含
有する溶液であってもよい。また、該溶液は、特に限定されないが、エタノール、ジメチルスルフォオキシド等の溶媒または界面活性剤溶液等を含有することが、本発明の蛍光プローブが通常脂溶性であることから均質な染色と再現性が高まり、好ましい。なお、該試薬として前記のような溶媒等に溶解していた本発明の蛍光プローブは、使用の際に細胞培養用培地に添加され該培地に溶解する。
本発明の蛍光プローブを含有する細胞観察用試薬は、培養細胞を染めず、培養細胞の周囲のガラス面を染色することができるため、培養細胞の形状及び位置を簡便かつ明瞭にガラス面上に記録することができる。したがって、本発明の細胞観察用試薬は、後述の本発明の観察方法に好適に利用できる。
観察対象としうる細胞の種類は、通常はガラス表面で接着培養される細胞であり、特に限定されないが神経細胞、繊維芽細胞、上皮細胞、がん細胞等が挙げられる。
【００６７】
＜細胞の観察方法＞
本発明の観察方法は、ガラス面上で細胞を培養する工程、本発明の蛍光プローブで前記ガラス面を染色する工程、及び前記染色工程後に、蛍光顕微鏡で前記細胞を観察する工程を含む。
本発明の観察方法は、培養細胞の周囲のガラス面を染色することにより、培養細胞の形状及び位置を簡便かつ明瞭にガラス面上に記録するものである。図１を参照して説明すると、任意のＴ０時に蛍光プローブを培養系に添加すると、細胞は染色されずガラス面が染色される。ガラス面上には、Ｔ０時の細胞の形状及び位置が蛍光染色によるネガティブ像として記録される。かかる染色像は、細胞の形状を明瞭に型どるものである。その後時間が経過して、Ｔ１時に細胞の形状や位置が変化しても、ガラス面上にはＴ０時の細胞の形状及び位置がネガティブ染色像として記録されたままとなる。本発明者らは、この細胞像の記録方法を、「Ｃｅｌｌ−Ｓｔａｍｐ法」と名付けた。
【００６８】
「Ｃｅｌｌ−Ｓｔａｍｐ法」によれば、培養細胞の形状及び位置の経時変化を観察することもでき、かかる方法も本発明の方法の一態様である。すなわち、ガラス面上で細胞を培養する工程、Ｔ０時に本発明の蛍光プローブで前記ガラス面を染色する工程、Ｔ０時から任意の時間が経過した後に蛍光顕微鏡及び微分干渉顕微鏡で前記細胞を観察する工程、及び得られた蛍光像及び微分干渉像を比較する工程を含む、細胞の観察方法である。
【００６９】
図１を参照して説明すると、任意のＴ０時に蛍光プローブを培養系に添加すると、細胞は染色されずガラス面が染色され、Ｔ０時の細胞の形状及び位置が蛍光染色によるネガティブ像がガラス面上に記録される。その後時間が経過して、Ｔ１時に細胞の形状や位置が変化しても、ガラス面上にはＴ０時の細胞の形状及び位置がネガティブ染色像として記録されたままとなる。そのため、Ｔ１時に、蛍光顕微鏡によるＴ０時の細胞の形状及び位置の観察と、微分干渉顕微鏡によるＴ１時の細胞の形状及び位置の観察を行い、得られた蛍光像（Ｔ０時の像）と微分干渉像（Ｔ１時の像）とを比較することで、Ｔ０時からＴ１時に変化した細胞の形状及び位置を把握することができる。
本方法においては、Ｔ０時かとＴ１時の各細胞像を、同一の観察視野で同時点で撮影できるため、観察倍率や視野の調整やそのためのランドマークを要することなく、容易に両者を比較し重ね合わせることができる。
ここで、Ｔ１時は、Ｔ０時より後であれば特に限定されないが、例えばＴ０時から５分後〜２４時間後程度が想定される。
【００７０】
本方法によれば、さらに培養細胞の形状及び位置の経時変化を定量化することもできる。かかる定量化は、前記比較工程において、観察対象の細胞の蛍光像と微分干渉像とで重ならない領域の面積を算出することにより行うことができる。
図２を参照して説明すると、蛍光像（Ｔ０時の像）と微分干渉像（Ｔ１時の像）とを重ねて比較し、２つの像の細胞領域が重ならない領域を塗り分ける。例えば、Ｔ０時からＴ
１時で細胞が前進した領域を色１で、Ｔ０時からＴ１時で細胞が後退した領域を色２で塗り分ける。色１の領域及び色２の領域の各面積又は合計面積を、画像のピクセル数で数値化して算出する。例えば、前記合計面積は、細胞がＴ０時からＴ１時で変形・移動した総面積となる。
このような比較、重ね合わせ、ぬり分け等の解析は、市販の画像解析ソフト（Photoshop
、Image J等）で行うことができる。
【００７１】
また、「Ｃｅｌｌ−Ｓｔａｍｐ法」によって、前述したものとは別の工程によっても培養細胞の形状及び位置の経時変化を観察することができる。
例えば、ガラス面上で細胞を培養する工程、Ｔ０時に本発明の蛍光プローブで前記ガラス面の染色を行う。そして、Ｔ０時から任意の時間が経過した後の１又は複数のＴｎ時、例えばＴ１時及びＴ２時に、それぞれ蛍光顕微鏡及び微分干渉顕微鏡で前記細胞を観察し、各観察画像を取得する。各時点の蛍光像は、同じもの、すなわちＴ０時の細胞の形状及び位置がネガティブ染色像として記録されたものであるため、これを基準として観察視野を特定することができる。該基準に基づいて、Ｔ１時及びＴ２時の微分干渉像を比較することにより、Ｔ０時からＴ１時に変化した細胞の形状及び位置を把握することができ、さらに細胞の移動量を算出することもできる。このような比較、重ね合わせ、ぬり分け等の解析は、市販の画像解析ソフト（Photoshop、Image J等）で行うことができる。
ここで、Ｔｎ時は、Ｔ０時より後であれば特に限定されないが、例えばＴ０時から５分後〜２４時間後程度が想定される。また、Ｔｎ時は、Ｔ１時、Ｔ２時、Ｔ３時、Ｔ４時・・・といくつの時点であってもよい。
【００７２】
その他に、複数種類の蛍光プローブを用いて、複数時点で蛍光染色を行ってガラス面上に細胞の形状及び位置をネガティブ染色像として記録する方法も、「Ｃｅｌｌ−Ｓｔａｍｐ法」に包含される。そのような複数種類の蛍光プローブは、蛍光波長の異なるものを用いることが好ましく、例えば赤色、緑色、青色等の蛍光色素団を有するものが挙げられ、特に限定されない。
【００７３】
これら「Ｃｅｌｌ−Ｓｔａｍｐ法」を利用する観察方法では、観察のためにインキュベータから培養皿を出し入れして、その度に観察視野がずれることによる問題が解消される。したがって、経時的な観察においても、細胞の位置や形状、及びその変化を正確に把握することが可能となる。
【００７４】
また、複数種類の蛍光プローブを用いて「Ｃｅｌｌ−Ｓｔａｍｐ法」を行うこともでき、これも本発明の方法の一態様である。すなわち、ガラス面上で細胞を培養する工程、Ｔ０時に本発明の第一の蛍光プローブで前記ガラス面を染色する工程、Ｔ０時から任意の時間が経過した後のＴ１時に、本発明の第二の蛍光プローブで前記ガラス面を染色する工程、及び第一の蛍光プローブ及び第二の蛍光プローブで染色された領域、並びに／又は第一の蛍光プローブ又は第二の蛍光プローブのみで染色された領域の蛍光強度を測定する工程を含み、第一の蛍光プローブと第二の蛍光プローブとで蛍光波長が異なる、細胞の観察方法である。
この場合、蛍光波長が異なる２種類の蛍光プローブを用いることで、Ｔ０時の細胞のネガティブ染色蛍光領域と、Ｔ１時の細胞のネガティブ染色蛍光領域が形成される。そして、一方の領域の蛍光プローブがドナーとなり、他方の領域の蛍光プローブがアクセプターとなって、蛍光共鳴エネルギー移動（ＦＲＥＴ）を利用して、時間差で染色した二色の重なり合う領域、又は重なり合わない単色の領域の蛍光強度を測定することにより、細胞がＴ０時からＴ１時で変形・移動した量を解析することができる。この場合、顕微鏡観察による画像の取得及びその解析による手法の他に、蛍光プレートリーダーを用いて所定の励起光照射と蛍光スペクトルの取得及びその解析による手法によっても、定量的解析が可能になる。
【００７５】
蛍光波長が異なる２種類の蛍光プローブを用いて、ＦＲＥＴを利用して「Ｃｅｌｌ−Ｓｔａｍｐ法」を行う態様について、図面を参照して以下に説明する。本説明では、蛍光波長が異なる２種類の蛍光プローブの例として、蛍光色素団としてローダミンＢ及びローダミン１９をそれぞれ有する蛍光プローブについて記載する。
なお、本発明が、ここで説明に用いる蛍光プローブや励起波長に係る態様に限定されないことは言うまでもない。
【００７６】
ローダミンＢの最大励起（吸収）波長は５５３ｎｍ、最大蛍光波長は５７２ｎｍであり、ローダミン１９の最大励起（吸収）波長は５２５ｎｍ、最大蛍光波長は５４７ｎｍである（Chem. Soc. Rev., 2009, 38, 2410-2433, ThermoFisher Scientific, SpectroViewer）。
例えばローダミン１９を波長４８８ｎｍの光で励起したとき、５５０ｎｍ近辺にピークがある蛍光スペクトルが測定される（図３）。
ローダミンＢの励起波長領域とローダミン１９の蛍光波長領域は重なり合っているため、各蛍光色素団を有する蛍光プローブが近接している状態で（約１０ｎｍ以内）、例えばローダミン１９が波長４８８ｎｍの光で励起された場合に、ＦＲＥＴが両蛍光プローブ間で生じる（Journal of Biomedical Optics (2012), 17(1), 011002、Nature Biotechnology (2003), 21(11), 1387-1395）。このとき、ローダミン１９の励起エネルギーがローダミンＢへ転移されローダミンＢが励起される。そのため、測定される蛍光スペクトルでは、５５０ｎｍ近辺の蛍光強度が減少し、５８０ｎｍ近辺の蛍光強度が増大する（図４）。
【００７７】
ガラス面上において培養細胞を、蛍光プローブＲ１９（１７）２又はＲＢ（１７）２で染色した場合、ガラス面の細胞がいない部分が染色されて、各ネガティブ像が得られる（図５）。
なお、ＲＢ（１７）２は一般式（３４）においてｎ＝１５の化合物であり、Ｒ１９（１７）２は一般式（３５）においてｎ＝１５の化合物である。
【００７８】
ガラス面上において細胞を培養し、Ｔ０時からＴ１時の間に該細胞が運動（移動及び／又は形状変化）したときの様子を図６に示す。ただし、図６は概念図であり、複数の蛍光プローブの実際の染色層が分離しているか混在しているかを明示するものではない。
Ｔ０時に第一の蛍光プローブＲ１９（１７）２で、Ｔ０時から任意の時間が経過した後のＴ１時に第二の蛍光プローブＲＢ（１７）２で、順に染色した場合、各プローブで染色された／染色されなかった部分は、図６に示すとおり次の領域に分けられる。
領域Ａ：Ｔ０時及びＴ１時に細胞がいなかった領域
領域Ｂ：Ｔ０時に細胞がいたが、Ｔ１時に細胞がいなかった領域
領域Ｃ：Ｔ０時及びＴ１時に細胞がいた領域
領域Ｄ：Ｔ０時に細胞がいなかったが、Ｔ１時に細胞がいた領域
【００７９】
各領域に波長４８８ｎｍの励起光を照射したとき、表１のように蛍光シグナルが観測される。すなわち；
領域Ａ：ＦＲＥＴにより相対的に弱いＲ１９（１７）２の蛍光シグナルが観測される。
領域Ｂ：ＲＢ（１７）２のＣｒｏｓｓ Ｔａｌｋ蛍光（ＲＢ（１７）２の励起波長ス
ペクトルの裾が４８８ｎｍにも広がっているために４８８ｎｍでの励起で生じる蛍光シグナル）が観測される。
領域Ｃ：蛍光シグナルは観測されない。
領域Ｄ：Ｒ１９（１７）２の蛍光シグナルが観測される。
このように、各領域の蛍光測定により、細胞がＴ０時からＴ１時で変形・移動した量を解析することができる。
【００８０】
【表１】
2020125939.tif 000028
【００８１】
本発明の方法において観察対象としうる細胞の種類は、通常はガラス表面で接着培養される細胞であり、特に限定されないが神経細胞、繊維芽細胞、上皮細胞、がん細胞等が挙げられる。
本発明の方法において、細胞の培養はガラス面上で行われ、培養容器としては通常ガラス皿を用いる。該容器の細胞が接着する側のガラス面は、通常細胞培養に用いられるものが好ましく、疎水化処理などの表面処理がなされていないほうがよい。
本発明の方法において、培養系に蛍光プローブを添加してガラス面を染色する工程を行うときは、特に限定されないが、好ましくは室温、具体的には11〜37℃の温度条件下で行う。これは、10℃以下だと蛍光プローブが脂溶性であるために細胞内に入ってしまう場合があり、特に炭化水素鎖を２本以上有する蛍光プローブ化合物は注意が必要である。また、染色工程の時間、すなわち蛍光プローブをガラス面に添加して接触させる反応時間は、特に限定されず適宜調整し、例えば5秒間〜5分間程度行えばよい。
【実施例】
【００８２】
以下、具体的な実験例をあげて、本発明をさらに詳細に説明するが、本発明は以下の態様にのみ限定されない。
【００８３】
以降の実施例１〜４及び比較例１〜３で用いた蛍光プローブ溶液（染色液）は、次のように調製した。
乾燥した蛍光プローブ（50nmol）にエタノールを10μL(ただし、RB(22)2の場合は20μL、RB(22)2の場合は30μL)添加し、攪拌しよく溶解させた。さらに10% Plironic F127溶液を50μL添加し、攪拌しよく溶解させた。この溶液にCOS1細胞の場合はDMEM培地を、HeLa
細胞の場合はMEM培地を9.94mL添加し、攪拌しよく溶解させ、染色用の蛍光プローブ溶液
とした。
最終濃度は、蛍光プローブが5.0nmol/mL、エタノールが0.1%(v/v)、Plironic F127が0.05%(w/v)である。
【００８４】
＜実施例１＞
ガラス底培養皿にＣＯＳ１細胞を播種し（1×105cells／φ３５ｍｍ皿）、10％FCS DMEM培地で３７℃で一晩（約１２時間）培養した。培地を除去し、予め３７℃に保温してお
いた蛍光プローブＲＢ（１８）２溶液を2.0mL添加した。室温で10秒間静置した後、蛍光
プローブ溶液を除去し、DMEM培地で２回洗浄した。10％FCS DMEM培地を2.0mL添加し、３
７℃で1時間培養した後、微分干渉顕微鏡及び蛍光顕微鏡で観察した。
なお、ＲＢ（１８）２は一般式（８）に包含される化合物である。
結果を図７に示す。蛍光顕微鏡像で、ネガティブ蛍光染色された細胞の形状が詳細に観察できた。
【００８５】
【化２６】
2020125939.tif 000029
【００８６】
＜実施例２＞
ガラス底培養皿にＣＯＳ１細胞を播種し（1×105cells／φ３５ｍｍ皿）、10％FCS DMEM培地で３７℃で一晩（約１２時間）培養した。培地を除去し、予め３７℃に保温してお
いた蛍光プローブＲＢ（１８）２溶液を2.0mL添加した。室温で10秒間静置した後、蛍光
プローブ溶液を除去し、DMEM培地で２回洗浄した。10％FCS DMEM培地を2.0mL添加し、３
７℃で１時間培養した後、ＰＢＳで２回洗浄し、さらにトリプシン溶液（０．０５質量％ＰＢＳ溶液）を2.0mL添加した。３７℃で５分間静置した後、トリプシン溶液を除去し、
ＰＢＳで２回洗浄した。10％FCS DMEM培地を2.0mL添加した後、微分干渉顕微鏡及び蛍光
顕微鏡で観察した。
結果を図８に示す。トリプシン処理により細胞が培養系から除去されたため、微分干渉像では、細胞が見えなかった。一方、蛍光顕微鏡像では、トリプシン処理後もネガティブ蛍光染色された細胞像が維持され、細胞形状が詳細に観察できた。
【００８７】
＜比較例１＞
蛍光プローブを、ＲＢ１８−オクタデシルローダミン、ＲＢ０、ＲＢ３、ＲＢ８、ＲＢ２Ｏ、又はＲＢ１２Ｏに代えて、実施例１と同様に培養ＣＯＳ１細胞を染色し、観察した。
ＲＢ１８−オクタデシルローダミンの結果を図９に示す。蛍光顕微鏡像において、蛍光シグナルがガラス面の他に細胞内にも存在し、細胞の輪郭が判別しにくい。また、ＲＢ０、ＲＢ３、ＲＢ８、ＲＢ２Ｏ、又はＲＢ１２Ｏを用いた場合も同様に、細胞内に蛍光プローブが入ったため、観察に適さなかった。
【００８８】
【化２７】
2020125939.tif 000030
【００８９】
＜比較例２＞
ガラス底培養皿にＣＯＳ１細胞を播種し（1×105cells／φ３５ｍｍ皿）、10％FCS DMEM培地で３７℃で一晩（約１２時間）培養した。培地を除去し、予め３７℃に保温してお
いた蛍光ＮＢＤ−ＤＰＰＥ溶液を2.0mL添加した。室温で60秒間静置した後、蛍光プロー
ブ溶液を除去し、DMEM培地で２回洗浄した。10％FCS DMEM培地を添加し、３７℃で１時間培養した後、微分干渉顕微鏡及び蛍光顕微鏡で観察した。
結果を図１０に示す。蛍光顕微鏡像において、ガラス面に蛍光シグナルが存在せず、ガラス面が蛍光プローブで染色されなかったことが分かる。
【００９０】
【化２８】
2020125939.tif 000031
【００９１】
＜比較例３＞
蛍光プローブをＲＢ（１２）２に代えて、染色時のインキュベート時間を１０秒に変えた他は、比較例２と同様に培養ＣＯＳ１細胞を染色して、観察した。
図１１に結果を示す。蛍光顕微鏡像において、蛍光シグナルがガラス面の他に細胞内にも存在し、観察しにくい。
【００９２】
【化２９】
2020125939.tif 000032
【００９３】
＜実施例３＞
ガラス底培養皿にＨｅＬａ細胞を播種し（1×105cells／φ３５ｍｍ皿）、10％FCS MEM培地で３７℃で一晩（約１２時間）培養した。培地を除去し、予め３７℃に保温しておいた蛍光プローブ溶液を2.0mL添加した。室温で１０秒間静置した後、蛍光プローブ溶液を
除去し、MEM培地で２回洗浄した。10％FCS MEM培地を2.0mL添加し、３７℃で０〜６時間
培養し、染色後０、１及び６時間後に微分干渉顕微鏡及び蛍光顕微鏡で観察した。
蛍光プローブとしては、下記一般式（３４）で表される化合物９種（ｎ数を表２に示す）を用いた。これらの化合物は２本のアルキル鎖の長さが異なるものであり、本実験により培養細胞の形状及び経時変化を観察するのに適する蛍光プローブを検討した。
【００９４】
【化３０】
2020125939.tif 000033
【００９５】
【表２】
2020125939.tif 000034
【００９６】
図１２〜２０に結果を示す。なお、同時点の微分干渉像と蛍光像は同視野であり、異なる時点の各像は別視野である。
蛍光プローブRB(16)2、RB(17)2、RB(18)2による染色において、観察時間０〜６時間と
も細胞の形状がコントラストよく明瞭に観察された。また、これら蛍光プローブの細胞内の蛍光シグナルは、観察時間０〜１時間でわずかしか観察されず、観察時間６時間でも細胞の形状を観察するのに問題はなかった（図１４〜１６）。
蛍光プローブRB(14)2、RB(19)2による染色において、観察時間０〜１時間で細胞の形状がコントラストよく明瞭に観察された。しかし、観察時間６時間でその細胞内の蛍光シグナルが細胞の形状の観察に一部支障が出る程度の強さで観察された（図１３、１７）。
蛍光プローブRB(12)2による染色において、観察時間０〜６時間とも特定の細胞内器官
（ミトコンドリアと推定される）において強い蛍光シグナルが観察された。また、観察時間０〜１時間で細胞の形状も観察されたが、細胞周辺の蛍光シグナルは細胞内の蛍光シグナルより弱いものであった（図１２）。
蛍光プローブRB(20)2、RB(22)2、RB(23)2による染色において、観察時間０〜１時間で
細胞の形状を示す蛍光シグナルのコントラストが不明瞭であった。観察時間６時間で細胞内の蛍光シグナルは細胞周辺の蛍光シグナルより著しく強く、蛍光シグナルで細胞の形状は観察されなかった。また、細胞周辺の蛍光シグナルの強度はバックグランドに近く、コントラストは不明瞭だった（図１８〜２０）。
蛍光プローブRB(12)2は細胞内によく取り込まれたが、これに対し蛍光プローブRB(16)2, RB(17)2、RB(18)2の細胞内への取り込みは相対的に少なかった。蛍光プローブRB(14)2
、RB(19)2の細胞内への取り込みは、これらの中間的なものであった。蛍光プローブRB(20)2, RB(22)2、RB(23)2による染色像では、蛍光シグナルがバックグランド程度に低かったが、これは長いアルキル鎖による高い疎水性のため水溶液への溶解性が低かったことが原因と推測される。
【００９７】
培養細胞の形状及び経時変化を観察するのには、細胞を染色したときに染色直後から一定時間までの間に細胞周辺の蛍光シグナルが細胞内の蛍光シグナルと比較して充分に明るくコントラストが明瞭となる蛍光プローブが好ましい。コントラストが明瞭でないと、細胞外及び細胞内の蛍光プローブからの蛍光シグナルは基本的に同じ波長であり波長フィルター等により区別し難くなり、詳細な細胞の形状を観察することが困難になるからである。例えば、蛍光プローブが細胞内に入って蛍光シグナルを発すると、細胞内の蛍光シグナルが細胞周辺のシグナル（細胞の形態を可視化するシグナル）より十分大きいと細胞の形状の観察が困難になる。また、細胞周辺の蛍光シグナルが小さすぎる（蛍光顕微鏡の検出限界に近い）場合もバックグランドシグナルとの区別が明瞭でなくなるため、明瞭な細胞の形状の観察が困難になる。
【００９８】
かかる視点に立つと、一般式（３４）で表される化合物においては、ｎが１４〜１６のものが、培養細胞の形状及び経時変化を観察する蛍光プローブとして適すると考えられる。また、ｎが１２又は１７のものは、０〜１時間程度の観察において、培養細胞の形状及び経時変化を観察する蛍光プローブとして適すると考えられる。
一方、ｎが１１以下のものは、その疎水的な性質の細胞内への取り込まれやすさのため培養細胞の形状及び経時変化を観察する蛍光プローブとして適さないと考えられる。また、ｎが１８以上のものは、その疎水的な性質のため培養細胞の形状及び経時変化を観察する蛍光プローブとして適さないと考えられる。
ただし、本実施例の結果はあくまで一般式（３４）で表される化合物の染色性に基づくものである。本発明に包含される他の蛍光プローブにおいては、末端のアルキル鎖長のみではなく、他の部分も含めた構造全体に基づく疎水性等の性質を考慮する必要がある。
【００９９】
＜実施例４＞
ガラス底培養皿にＨｅＬａ細胞を播種し（1×105cells／φ３５ｍｍ皿）、10％FCS MEM培地で３７℃で２４時間培養した。培地を除去し、予め３７℃に保温しておいた蛍光プローブＲＢ（１７）２溶液を1.0mL添加した。室温で10秒間静置した後、蛍光プローブ溶液
を除去し、MEM培地で２回洗浄した。10％FCS MEM培地を2.0mL添加し、３７℃で０〜６時
間培養し、染色後０、３及び６時間後に微分干渉顕微鏡及び蛍光顕微鏡で観察した。
【０１００】
図２１に、各時点（染色０、３、６時間後）に撮影した画像を示す。なお、同時点の微分干渉像と蛍光像は同視野であり、異なる時点の各像は別視野である。また、経時で細胞が移動したため、同時点での微分干渉像と蛍光像とでは個々の細胞の位置及び形状が異なっている。
染色３時間後と６時間後の蛍光像を、観察視野のフレームに合わせて重ねると、画像中の蛍光染色された細胞の像が一致していないことがわかる（図２２（Ａ））。この不一致は各時点で観察視野がずれたことに起因する。蛍光像は経時で変わらないことから、各時点の蛍光像の同一細胞に合わせて重ねると、各時点の観察視野がわかる（図２２（Ｂ））。これにより、観察時に培養皿の位置が数μｍ単位でずれたとしても、同一の観察対象を精度よく観察しその移動を把握することができる。
【０１０１】
上記のように観察視野を調整し、染色後０、３及び６時間後の微分干渉像から同一観察視野で切り取って並べたものを図２３に示す。これから、特定の細胞が、経時で変形及び移動したことが明瞭に認められた。図２３に示す細胞の核の位置の経時変化量を解析したところ、染色後０時間から３時間後の間に４３μｍ、染色後３時間から６時間後の間に４７μｍであった。
なお、上記画像の比較や重ね合わせ、移動量の算出等の処理は、Photoshop又はImage Jを用いてコンピュータ上で行った。
【０１０２】
＜実施例５＞
下記一般式（３５）で表される化合物３種をスキーム１１にしたがい合成した。
これらのうちＲ１９（１７）２と、実施例３で用いたＲＢ（１７）２とを、実施例５における第一又は第二の蛍光プローブとして用いた。
【０１０３】
【化３１】
2020125939.tif 000035
（一般式（３５）において、Ｒは−（ＣＨ２）ｎ−ＣＨ３を表し、ｎは表３に示す整数である。）
【０１０４】
【表３】
2020125939.tif 000036
【０１０５】
蛍光プローブ溶液（染色液）は、次のように室温にて調製した。
乾燥した蛍光プローブ（50nmol）にエタノールを10μL添加し、攪拌しよく溶解させた
。さらに10% Plironic F127溶液を50μL添加し、攪拌しよく溶解させた。この溶液にDMEM培地9.94mLを２回に分けて添加し、攪拌しよく溶解させ、最終濃度5μMの蛍光プローブ溶液とした。
【０１０６】
ガラス底培養皿にＨｅＬａ細胞を播種し（5×104cells／φ３５ｍｍ皿）、10％FBS/DMEM培地を1.5mL/dish添加して３７℃、５％ＣＯ２下で一晩（約２４時間）培養した。
培地を除去し、予め３７℃に保温しておいた第一の蛍光プローブ溶液を1.0mL添加し、
軽く撹拌した（Ｔ０時）。室温で１０秒間静置した後、蛍光プローブ溶液を除去し、DMEM培地2.0mLで２回洗浄した。DMEM培地を除去し、10％FBS/DMEM培地を1.5mL添加し、３７℃、５％ＣＯ２下で６時間培養した。
培地を除去し、予め３７℃に保温しておいた第二の蛍光プローブ溶液を1.0mL添加し、
軽く撹拌した（Ｔ１時）。室温で１０秒間静置した後、蛍光プローブ溶液を除去し、DMEM培地2.0mLで２回洗浄した。DMEM培地を除去し、10％FBS/DMEM培地を1.5mL添加し、３７℃、５％ＣＯ２下で１時間培養した。
トリプシン溶液（０．０５質量％ＰＢＳ溶液）を2.0mL添加し、３７℃で５分間静置し
た後、トリプシン溶液を除去し、ＰＢＳで２回洗浄した。DMEM培地を1.5mL添加した後、
共焦点レーザー顕微鏡によりディッシュ上の蛍光を観察した。
蛍光測定は、表４に示す５つのチャンネルで行った。
【０１０７】
【表４】
2020125939.tif 000037
【０１０８】
第一の蛍光プローブ及び第二の蛍光プローブの有無及び種類を変えて、表５に示す５通りの試験を行った。
【０１０９】
【表５】
2020125939.tif 000038
【０１１０】
試験Ａの結果を図２４〜２５に示す。
Ｒ１９（１７）２に由来する蛍光で細胞のネガティブ染色が確認できる。
【０１１１】
試験Ｂの結果を図２６〜２８に示す。
図２６のＣｈ．Ｒ１９の画像、及び図２７の波長５３４〜５５６ｎｍの画像に見られる白いシグナル領域は、前述の領域Ｄ、すなわちＴ０時に細胞がいなかったが、細胞が進出してＴ１時に細胞がいた領域と考えられる。
【０１１２】
図２８は、Ｃｈ．Ｌａｍｂｄａの画像から取得した蛍光データに基づいて観察視野を画像解析ソフトを用いて解析し、各蛍光プローブにより染色された／染色されなかった領域を図示したものである。これにより、Ｔ０時からその６時間後のＴ１時までの細胞の運動（変形・移動）を推測することができる。
図２８の左図において、縦縞の領域Ｄは細胞が６時間かけて運動し進出した領域に、横縞の領域Ｂは細胞が６時間かけて運動し退去した領域に、それぞれ相当する。そして、左図において黒色の領域Ｃと横縞の領域Ｂを合わせた領域、すなわち右図において点線で囲まれた領域は、Ｔ０時の細胞の位置を示す。また、左図において黒色の領域Ｃと縦縞の領域Ｄを合わせた領域、すなわち右図において灰色の領域は、Ｔ１時の細胞の位置を示す。これらから、Ｈｅｌａ細胞が、右図における点線で囲まれた領域から灰色の領域へ運動したことが推測された。
【０１１３】
試験Ｃ結果を図２９〜３０に示す。
ＲＢ（１７）２に由来する蛍光で細胞のネガティブ染色が確認できる。
なお、Ｃｈ．Ｌａｍｂｄａの波長５３４〜５５６ｎｍの画像において、ＲＢ（１７）２のＣｒｏｓｓ Ｔａｌｋ蛍光シグナルが認められる（図３０）。
【０１１４】
試験Ｄの結果を図３１〜３３に示す。
図３１のＣｈ．Ｒ１９の画像、及び図３２の波長５３４〜５５６ｎｍの画像に見られる白いシグナル領域は、前述の領域Ｂ、すなわちＴ０時に細胞がいたが、細胞が退去してＴ１時に細胞がいなかった領域と考えられる。
【０１１５】
図３３は、Ｃｈ．Ｌａｍｂｄａの画像から取得した蛍光データに基づいて観察視野を画像解析ソフトを用いて解析し、各蛍光プローブにより染色された／染色されなかった領域を図示したものである。これにより、Ｔ０時からその６時間後のＴ１時までの細胞の運動（変形・移動）を推測することができる。
図３３の左図において、縦縞の領域Ｂは細胞が６時間かけて運動し退去した領域に、横縞の領域Ｄは細胞が６時間かけて運動し進出した領域に、それぞれ相当する。そして、左図において黒色の領域Ｃと縦縞の領域Ｂを合わせた領域、すなわち右図において点線で囲まれた領域は、Ｔ０時の細胞の位置を示す。また、左図において黒色の領域Ｃと横縞の領域Ｄを合わせた領域、すなわち右図において灰色の領域は、Ｔ１時の細胞の位置を示す。これらから、Ｈｅｌａ細胞が、右図における点線で囲まれた領域から灰色の領域へ運動したことが推測された。
【０１１６】
試験Ｅの結果を図３４〜３５に示す。
蛍光プローブによる染色を行っていないため（陰性対照）、視野はほぼ暗く自然背景光のみである。
【０１１７】
これらの結果から、蛍光波長が異なる二色の蛍光プローブを用いて細胞運動を定量的に測定できることが示された。
なお、Ｒ１９（１７）２の蛍光シグナルは、ＲＢ（１７）２のＣｒｏｓｓ Ｔａｌｋ蛍
光シグナルが生じても邪魔されない程度に十分強く検出されたことから、本実施例で用いた二種の蛍光プローブにより染色する順序は、いずれを先にしてもよいと考えられる。したがって、これら二種の蛍光プローブの組み合わせを用いる場合は、任意の順序で染色を行い、例えば波長４８８ｎｍの光で励起し、波長５３４〜５５６ｎｍの蛍光を測定する、という方法を採ることができる。
【産業上の利用可能性】
【０１１８】
本発明により、ガラス面を染色するが培養細胞は染色しない蛍光プローブが提供され、該蛍光プローブを用いて培養細胞の形状及び位置を簡便かつ明瞭にガラス面上に記録すること、さらに培養細胞の形状及び位置の経時変化を定量的に解析することが可能になる。かかる解析は、薬剤、核酸、生理活性物質等を適用した細胞の評価等に適用し得るため、産業上非常に有用である。
【図１】
2020125939.tif 000044
【図２】
2020125939.tif 000045
【図３】
2020125939.tif 000046
【図４】
2020125939.tif 000047
【図５】
2020125939.tif 000048
【図６】
2020125939.tif 000049
【図７】
2020125939.tif 000050
【図８】
2020125939.tif 000051
【図９】
2020125939.tif 000052
【図１０】
2020125939.tif 000053
【図１１】
2020125939.tif 000054
【図１２】
2020125939.tif 000055
【図１３】
2020125939.tif 000056
【図１４】
2020125939.tif 000057
【図１５】
2020125939.tif 000058
【図１６】
2020125939.tif 000059
【図１７】
2020125939.tif 000060
【図１８】
2020125939.tif 000061
【図１９】
2020125939.tif 000062
【図２０】
2020125939.tif 000063
【図２１】
2020125939.tif 000064
【図２２】
2020125939.tif 000065
【図２３】
2020125939.tif 000066
【図２４】
2020125939.tif 000067
【図２５】
2020125939.tif 000068
【図２６】
2020125939.tif 000069
【図２７】
2020125939.tif 000070
【図２８】
2020125939.tif 000071
【図２９】
2020125939.tif 000072
【図３０】
2020125939.tif 000073
【図３１】
2020125939.tif 000074
【図３２】
2020125939.tif 000075
【図３３】
2020125939.tif 000076
【図３４】
2020125939.tif 000077
【図３５】
2020125939.tif 000078